(57)【要約】【課題】  本発明は、小さい設置面積のコンパクトな精米設備にすることを課題とする。【解決手段】  玄米を投入する投入ホッパ（１）と、玄米に混じる石を石抜き処理する石抜機（２）と、石抜機（２）で石抜き処理した玄米を揚穀する昇降機（３）と、玄米を精米処理する精米機（５）と、精米機（５）で精米処理した精白米を貯留する白米タンク（６）とを設け、投入ホッパ（１）の直下方に石抜機（３）を設け、投入ホッパ（１）の直上方に白米タンク（６）を設け、かつ、白米タンク（６）排出口（６ａ）を投入ホッパ（１）の開口部に対向する位置に設け、白米タンク（６）の直上方に精米機（５）を設けたことを特徴とする精米設備とする。【選択図】  図２
2011152508.tif 000002
【特許請求の範囲】
【請求項１】
玄米を投入する投入ホッパ（１）と、玄米に混じる石を石抜き処理する石抜機（２）と、石抜機（２）で石抜き処理した玄米を揚穀する昇降機（３）と、玄米を精米処理する精米機（５）と、精米機（５）で精米処理した精白米を貯留する白米タンク（６）とを設け、
投入ホッパ（１）の直下方に石抜機（３）を設け、投入ホッパ（１）の直上方に白米タンク（６）を設け、かつ、白米タンク（６）排出口（６ａ）を投入ホッパ（１）の開口部に対向する位置に設け、白米タンク（６）の直上方に精米機（５）を設けたことを特徴とする精米設備。
【請求項２】
投入ホッパ（１）の開口部を手動で開閉する投入ホッパ開閉扉（２０）と投入ホッパ開閉扉（２０）の閉状態を検出する開閉扉検出手段（２１）を設け、投入ホッパ（１）に玄米を投入後、開閉扉検出手段（２１）が投入ホッパ開閉扉（２０）の閉状態を検出しないと、精米処理作業を開始しないよう制御する制御部（１６）を設けたことを特徴とする請求項１記載の精米設備。
【発明の詳細な説明】
【技術分野】
【０００１】
本発明は、利用者が持参した籾や玄米等の穀物を精米処理する精米設備に関する。
【背景技術】
【０００２】
特許文献１では、箱体内に精米機や石抜機を収容した屋外型の精米設備が開示されている。この公報では投入ホッパ及び石抜機と精米機及び白米タンクを左右２列に配置する構成である。
【先行技術文献】
【特許文献】
【０００３】
【特許文献１】特開２００３-１１７４１１号公報
【発明の開示】
【発明が解決しようとする課題】
【０００４】
さらに設置面積小さいコンパクトな精米設備にすることを課題とする。また、コンパクトな精米設備にしたときに適正な許容精米量を設定し、精米処理時のトラブルを防止することを課題とする。
【課題を解決するための手段】
【０００５】
この発明は、かかる技術的課題を解決するために次のような技術的手段を構成した。すなわち、請求項１の発明では、玄米を投入する投入ホッパ（１）と、玄米に混じる石を石抜き処理する石抜機（２）と、石抜機（２）で石抜き処理した玄米を揚穀する昇降機（３）と、玄米を精米処理する精米機（５）と、精米機（５）で精米処理した精白米を貯留する白米タンク（６）とを設け、投入ホッパ（１）の直下方に石抜機（３）を設け、投入ホッパ（１）の直上方に白米タンク（６）を設け、かつ、白米タンク（６）排出口（６ａ）を投入ホッパ（１）の開口部に対向する位置に設け、白米タンク（６）の直上方に精米機（５）を設けたことを特徴とする精米設備とする。
【０００６】
請求項２の発明では、投入ホッパ（１）の開口部を手動で開閉する投入ホッパ開閉扉（２０）と投入ホッパ開閉扉（２０）の閉状態を検出する開閉扉検出手段（２１）を設け、投入ホッパ（１）に玄米を投入後、開閉扉検出手段（２１）が投入ホッパ開閉扉（２０）の閉状態を検出しないと、精米処理作業を開始しないよう制御する制御部（１６）を設けたことを特徴とする請求項１記載の精米設備とする。
【発明の効果】
【０００７】
請求項１記載の発明においては、直上下方向に下から石抜機２、投入ホッパ１、白米タンク６、精米機５を配置することができるため、設置面積の小さいコンパクトな精米設備にすることができる。また、白米タンク６の排出口６ａを投入ホッパ１の開口部の上方に対向する位置に設けることで、白米タンク６内の精白米を袋等の容器に収容するときに投入ホッパ１に容器を載置して精白米を収容できるため、精白米を収容しやすい。また、容器に収容し損ねても精白米を投入ホッパ１で受けることができるため、精米設備外に精白米が散乱することを防止することができる。
【０００８】
請求項２記載の発明では、投入ホッパ１に投入ホッパ開閉扉２０が閉じられないほど玄米を投入した場合には精米処理を行なえないので、な精米処理量の許容範囲を設定することができ、コンパクトな精米設備で許容量を超えた精米処理をして精米処理のトラブルを防止することができる。
【図面の簡単な説明】
【０００９】
【図１】正面から見た精米設備の装置各部を示す図
【図２】側面から見た精米設備の装置各部を示す図
【図３】平面から見た精米設備の装置各部を示す図
【図４】正面から見た精米設備の斜視図
【図５】正面から見た別実施例の精米設備の装置各部を示す図
【図６】側面から見た別実施例の精米設備の装置各部を示す図
【図７】平面から見た別実施例の精米設備の装置各部を示す図
【図８】投入ホッパの開閉扉を説明する図
【図９】ブロック図
【発明を実施するための最良の形態】
【００１０】
図１と図２と図３に基づいて、精米設備の構成について説明する。
１は利用者が持参した玄米を投入する投入ホッパで、投入ホッパ１の下方に、投入した玄米に混じる石を抜く石抜機２を設ける。石抜機２の隣接する位置に石抜き処理した玄米を揚穀する昇降機３を設け、昇降機３の投げ口側には玄米を一時貯留する玄米タンク４を設ける。玄米タンク４の下方には玄米を精米処理する精米機５を設け、精米機５の排出口側には精米処理した精白米を貯留する白米タンク６を設けている。投入ホッパ１の底部には開閉シャッタ７を設け、白米タンク６の底部の排出口６ａにも開閉シャッタ９を設けている。
【００１１】
投入ホッパ１の直上方に白米タンク６を設け、白米タンク６の直上方に精米機５を設け、精米機５の直上方に玄米タンク４を設け、下から順に石抜機２、投入ホッパ１、白米タンク６、精米機５、玄米タンク４の順に直上下方向に積み重ねるように配置する構成とする。そして、当該積み重ねた装置各部に隣接する位置に昇降機３を設ける構成としている。そして、投入ホッパ１、石抜機２、昇降機３、玄米タンク４、精米機５、白米タンク６の装置各部は長方形状の箱体Ｈ内に収容される構成としている。
【００１２】
図４に基づいて精米設備の正面側を説明する。
箱体Ｈの正面側には横開きの開閉扉８を設け、開閉扉８を開けると前述の装置各部が露出する構成である。
【００１３】
開閉扉８の正面側には投入ホッパ１に玄米を投入し、あるいは白米タンク６から精白米を取り出すための開口部１０を形成すると共に、精白度を選択する複数の精白度選択スイッチ１１ａ，１１ｂ，１１ｃと料金投入口１２等からなる操作盤１３を設けている。１４は開閉扉８を開閉する取っ手で、１５はコイン返却口である。
【００１４】
操作盤１３の裏側、すなわち、開閉扉８の裏面には図９に示す制御部１６を設けている。
本実施の形態の精米作業の概要について説明する。
【００１５】
利用者は料金投入口に料金であるコインを投入すると精白度選択スイッチ１１ａ，１１ｂ，１１ｃが点灯する。持参した玄米を開口部１０から投入ホッパ１に投入し、精白度選択スイッチ１１ａ，１１ｂ，１１ｃで所望の精白度を選択すると料金に対応する運転時間、運転が開始される。開閉シャッタ７が開き、投入ホッパ１内の玄米が石抜機２に供給される。石抜機２の周知の石抜選別板２ａと送風ファン２ｄで石抜き処理された玄米は後方に搬送され、石抜排出口２ｂから石抜搬送シュート２ｃを経て昇降機３に供給される。そして、昇降機３で玄米タンク４搬送され、玄米タンク４から精米機５に順次供給されて精米処理がなされる。精米処理されて精米機５から排出された精白米は白米タンク６に貯留される。利用者は持参した袋を投入ホッパ１上に載置し、白米タンク６の排出口６ａの開閉シャッタ９を開けて袋に精白米を収容する。精米機５の精米処理で発生した糠は糠ファン１７で糠搬送筒１９を経て糠小屋１８へ吸引・搬送される。
【００１６】
本実施の形態のレイアウト構成により、装置各部を直上下方向に集中的に設けることができるため、設置面積の少ないコンパクトな精米設備にすることができる。
また、白米タンク６の排出口６ａを投入ホッパ１の開口部の上方に対向する位置に設けることで、精白米を収容する袋等の容器を投入ホッパ１上に載置して精白米を収容することができるため収容しやすい。また、袋から精白米をこぼしても投入ホッパ１内に入るため、精米設備の周辺に精白米が散乱することを防止することができる。
【００１７】
本実施の形態の精米機５は、供給側が高い位置とし、排出側を低い位置とする本体を斜めに傾斜するタイプを採用しているが、供給側を背面側にし、排出側を正面側として配置することで、上下方向の高さを低く抑えることができる。そして、玄米タンク４を精米機５の排出側の上方及び供給側の前方の空間部を利用して配置することで、精米設備の設置高さを低く抑えることができる。
【００１８】
開閉シャッタ７は、設定した運転時間が経過するか、図示しない投入ホッパ１内の玄米の有無を検出するセンサが玄米無しを検出すると開閉シャッタ７を閉じることで、石抜機２の送風ファン２ｄの送風作用が投入ホッパ１に吹き上げられて塵埃が舞うことを防止することができる。
【００１９】
１８は箱体Ｈに隣接して設ける糠小屋で、精米機５の精米作業で発生し、糠ファン１７で吸引・搬送された糠を貯留する。この実施例では糠ファン１７を箱体Ｈ内に設ける構成としているが、糠小屋１８側に設け、糠小屋１８を防音壁構造として糠ファン１７の騒音を低減する構成としてもよい。
【００２０】
また、糠ファン１７から糠小屋１８へ搬送される糠は糠搬送筒１９は昇降機３の後方を通過して糠小屋１８と接続する構成とすることで、昇降機３の後ろのスペースを有効に利用することができる。また、糠ファン１７を精米機５の排出側の後方及び供給側の下方のスペースに設けることで、精米設備の前後長をコンパクトにすることができる。また、利用者から遠い位置となり、利用者に聞こえる騒音を低減することができる。
【００２１】
また、本実施の形態の糠小１８屋は箱体Ｈの側方に隣接する位置に設けているが、箱体Ｈの後方に設けても良い。
次に図５と図６と図７に基づいて精米設備の別の実施の形態について説明する。
【００２２】
図５と図６と図７の別の実施の形態の投入ホッパ１、石抜機２、昇降機３、玄米タンク４、精米機５、白米タンク６の装置各部の基本的な構成については図１・図２・図３の精米設備と略同様である。また、図４の箱体及び開閉扉８の構成は同様である。
【００２３】
図１・図２・図３の精米設備と相違する部分について説明する。
投入ホッパ１の上面には横軸心で前後方向に開閉する投入ホッパ開閉扉２０を設ける。投入ホッパ１側には開閉扉２０で開口部を閉じた位置の投入ホッパ開閉扉２０を検出する開閉扉検出センサ２１を設ける。そして、投入ホッパ１の底部には玄米ロータリバルブ２２を設ける。石抜機２の玄米排出側には玄米一時貯留タンク２３を設け、玄米一時貯留タンク２３の下部には横搬送ラセン２４を設け、昇降機３の下部と接続する。白米タンク６の底部の排出口６ａには白米ロータリバルブ２５を設け、白米排出スイッチ２６の操作で駆動する構成である。
【００２４】
一時貯留タンク２３は玄米タンク４の大きさを小さくして精米設備の設置高さを低くするためのもである。
別実施の形態の精米作業の概要について説明する。
【００２５】
利用者は料金投入口にコインを投入し、持参した玄米を開口部１０から投入ホッパ１に投入して投入ホッパ開閉扉２０を閉じる。図８の（イ）に示すように、開閉扉検出センサ２１が投入ホッパ開閉扉２０の閉状態を検出すると、精白度選択スイッチ１１ａ，１１ｂ，１１ｃを選択操作可能であることを示すランプが点灯する。開閉扉検出センサ２１が投入ホッパ開閉扉２０の閉状態を検出しないと、精白度選択スイッチ１１ａ，１１ｂ，１１ｃが点灯せず、精米処理作業の開始ができない。すなわち、図８の（ロ）に示すように投入ホッパ１に許容精米処理量以上（例えば１０ｋｇ以上）の玄米を一度に投入できないようにする。すなわち、一度に許容量を超える精米処理を行なうことによる装置詰まり等のトラブルを防止するためのものである。また、料金には該許容精米処理量に対応する料金（例えば１００円）以上の料金を投入する（例えば２００円を投入する）と、超える分の料金（１００円）は料金返却口１５に自動的に返却することで、利用者が無駄に料金を投入することを防止できる。
【００２６】
投入ホッパ開閉扉２０の構成や前述の超過料金の返却の構成については図１と図２と図３の精米設備でも適用できる。
精白度選択スイッチ１１ａ，１１ｂ，１１ｃを選択すると、装置各部は駆動を開始し、玄米ロータリバルブ２２が投入ホッパ１内の玄米を石抜機２に繰り出される。石抜機２で石抜き処理された玄米は玄米一時貯留タンク２３に一時貯留され、順次横搬送ラセン２４で昇降機３に搬送され、玄米タンク４に貯留され、順次精米機５に供給され、精米処理がなされる。
【００２７】
精米処理がなされた精白米は白米タンク６に排出される。利用者は閉じ姿勢の投入ホッパ開閉扉２０上に持参した袋を載置して白米排出スイッチ２６を操作すると白米ロータリバルブ２５が駆動して袋内に精白米が収容される。
【００２８】
また、白米排出スイッチ２６とは別に白米量調節スイッチ２７を一回操作すると所定精白米量（例えば１合）ずつ排出できる構成としても良い。すなわち、利用者が所定量ずつ小分けして持ち帰ることができる。
【００２９】
また、投入ホッパ開閉扉２０に精白米を収容する袋等の容器を載置できるため、載置し易い。投入ホッパ１の上方に投入ホッパ開閉扉２０とは別に、折りたたみ式の袋置き台（図示せず）を設けても良い。
【００３０】
なお、本実施の形態の精米設備は屋外用のため、湿度センサ（図示せず）で雨天を検知し、雨天時は利用できなくして、投入ホッパ内に雨が流れ込むのを防止することができる。
【符号の説明】
【００３１】
１  投入ホッパ
２  石抜機
３  昇降機
４  玄米タンク
５  精米機
６  白米タンク
２０  投入ホッパ開閉扉
２１  開閉扉検出手段（センサ）
【図１】
2011152508.tif 000003
【図２】
2011152508.tif 000004
【図３】
2011152508.tif 000005
【図４】
2011152508.tif 000006
【図５】
2011152508.tif 000007
【図６】
2011152508.tif 000008
【図７】
2011152508.tif 000009
【図８】
2011152508.tif 000010
【図９】
2011152508.tif 000011